(57)【特許請求の範囲】
【請求項１】
内筒と外筒を同心二重配置にしてその相互間に下向きに開放された環状溝を形成し該環状溝に容器の口部を打栓、嵌合させて固定保持するベースと、このベースに支柱を介して一体的に設けられたプルリングと、このプルリングによる引き上げにて閉塞壁を破断予定線に沿い引きちぎって注出経路を形成する注出筒と、この注出筒を覆い隠す収納空間を有し、ベースに連係して固定されるキャップとを備えた注出栓であって、
前記閉塞壁は、薄肉部からなる前記破断予定線を介して前記注出筒の内側に一体連結され、
前記閉塞壁における前記破断予定線の上方で、前記プルリングの支柱と、注出筒の内周壁との相互間に、それらをそれぞれ少なくとも一箇所において相互に連結する薄肉片を設け、
前記薄肉片が、支柱の接続部位及び注出筒の接続部位の少なくとも一方を弱化部としてその部位からの引きちぎりを可能とする縦リブからなることを特徴とする注出栓。
【請求項２】
前記薄肉片は、支柱に向けて低くなるか、又は注出筒へ向けて低くなる傾斜付きの上端辺を有する、請求項１記載の注出栓。
【発明の詳細な説明】
【技術分野】
【０００１】
本発明は、プルリングを引き上げることにより閉塞壁を引きちぎって開栓する注出栓に関するものであり、より小さな力のもとでスムーズに開栓しようとするものである。
【背景技術】
【０００２】
醤油やドレッシング等の調味材を入れる容器は、その口部に、プルリングの引き起こしにより閉塞壁（中栓）を引きちぎって開封するバージンタイプの注出栓が装着されており、容器内の内容物を使い切るまでの間はねじ込み式のキャップやアンダーカット、あるいはヒンジタイプのキャップを注出栓に適合させて容器を密封状態に保持するようになっている。
【０００３】
ところで、この種の注出栓は、閉塞壁に予め、その厚さを薄くした破断予定部位が形成されており、プルリングによる引き上げに際して該破断予定部位に沿って閉塞壁を引きちぎることによって開栓していた（例えば、特許文献１参照）が、指を引っ掛けるプルリングは、そのサイズが小さいうえ、閉塞壁の引きちぎり開始時点において比較的大きな力が必要となる場合もあって開栓し難い不具合があり、より小さな力で簡単に開封できる注出栓の開発が望まれていたところ、このような要求を満足する注出栓は今のところ存在していない。
【先行技術文献】
【特許文献】
【０００４】
【特許文献１】実開平６−２５１５１号公報
【発明の概要】
【発明が解決しようとする課題】
【０００５】
本発明の課題は、より小さな力でもってスムーズに開栓できるプルリングタイプの注出栓を提案するところにある。
【課題を解決するための手段】
【０００６】
本発明は、内筒と外筒を同心二重配置にしてその相互間に下向きに開放された環状溝を形成し該環状溝に容器の口部を打栓、嵌合させて固定保持するベースと、このベースに支柱を介して一体的に設けられたプルリングと、このプルリングによる引き上げにて閉塞壁を破断予定線に沿い引きちぎって注出経路を形成する注出筒と、この注出筒を覆い隠す収納空間を有し、ベースに連係して固定されるキャップとを備えた注出栓であって、
前記閉塞壁は、薄肉部からなる前記破断予定線を介して前記注出筒の内側に一体連結され、
前記閉塞壁における前記破断予定線の上方で、前記プルリングの支柱と、注出筒の内周壁との相互間に、それらをそれぞれ少なくとも一箇所において相互に連結する薄肉片を設け、
前記薄肉片が、支柱の接続部位及び注出筒の接続部位の少なくとも一方を弱化部としてその部位からの引きちぎりを可能とする縦リブからなることを特徴とする注出栓である。
【０００７】
薄肉片の上端辺については、支柱に向けて低くなるか、又は注出筒へ向けて低くなる傾斜を設けておくのが好ましい。あるいは傾斜に替えて高さに変化を与える段差を設けてもよい。
【発明の効果】
【０００８】
プルリングの支柱と、注出筒との相互間に、それらを相互につなぐ薄肉片を設けておくことにより、引きちぎりの際に付加される力が、薄肉片に集中しやすくなるため、比較的小さな力のもとで閉塞壁の引きちぎりが開始される。
【０００９】
薄肉片を縦リブとして、肉厚が全幅において均一なものを適用することで閉塞壁の引きちぎりに際して該薄肉片と支柱との接続部位あるいは注出筒の接続部位において適宜破断させることができる。また、薄肉片の形状を支柱あるいは注出筒へ向けて先細り形状（楔状の形状）とすることにより、最も肉厚の薄い部位が弱化部となり、閉塞壁の引きちぎりと同時にその部位を起点に薄肉片の切り離しが始まる。
【００１０】
薄肉片の上端辺に傾斜を設けておくか、高さに変化を与える段差を設けておくことにより、最も低い側に引きちぎりにかかる力が集中することになり、閉塞壁をよりスムーズに引きちぎることができる。
【図面の簡単な説明】
【００１１】
【図１】本発明にしたがう注出栓の実施の形態を断面で示した図である。
【図２】図１に示した注出栓の平面を示した図である。
【図３】図１に示した注出栓の底面を示した図である。
【図４】（ａ）（ｂ）は従来の注出栓の開栓状況の説明図である。
【図５】（ａ）（ｂ）は本発明にしたがう注出栓の開栓状況の説明図である。
【図６】本発明にしたがう注出栓の他の実施の形態を要部について示した平面図である。
【図７】本発明にしたがう注出栓の他の実施の形態を要部について示した平面図である。
【図８】本発明にしたがう注出栓の他の実施の形態を要部について示した断面図である。
【図９】本発明にしたがう注出栓の他の実施の形態を要部について示した断面図である。
【図１０】本発明にしたがう注出栓の他の実施の形態を要部について示した断面図である。
【発明を実施するための形態】
【００１２】
以下、図面を参照して本発明をより具体的に説明する。
図１は、本発明にしたがう注出栓の実施の形態を断面で示した図であり、図２は、図１に示した注出栓の平面を示した図であり、図３は、図１に示した注出栓の底面を示した図である。
【００１３】
図における１は、注出栓の基本骨格をなすベースである。このベース１は、内筒１ａと外筒１ｂを同心二重配置にしてその上端を相互に連結してその間に下向きに開放された環状溝１ｃを形成しており、該環状溝１ｃに容器の口部を入れ込んで所望の締め代のもとに打栓、嵌合させることによって注出栓を容器の口部に固定保持する。外筒１ｂとしてはその外側に、該外筒１ｂを全周にわたって取り囲む環状周壁１ｂ１を備えたものを例として示してあり、蓋体４を含めた環状周壁１ｂ１を、その下端の前方側（注出側）に設けた連結片１ｂ２を支点にして引き起こす（弱化片１ｂ３はこの際に切り離される。）ことにより注出栓の口部に対する嵌合力を小さくして該注出栓の取り外しを容易にしている。
【００１４】
また、２は、ベース１の上部に一体的に設けられた注出筒、３は注出筒２の内側に設けられた閉塞壁である。この閉塞壁３は、薄肉部からなる引きちぎり予定部位（破断予定線）３ａを介して注出筒２の内側に一体連結しており、その上面部には、支柱３ｂを介してプルリング３ｃが配置されている。
【００１５】
４は、ヒンジｈを介して開閉可能にベース１の上端外縁部に一体連結したキャップである。このキャップ４は、注出筒２を取り囲む周壁４ａと、この周壁４ａの上端部に連結してその内側に注出筒２の収納空間Ｍを形成する天板４ｂから構成されており、該天板４ｂの下面には、キャップ４を閉じた際に注出筒２の内周面に嵌合してシールする垂下筒体４ｃが設けられている。
【００１６】
５は、支柱３ｂと注出筒２の内周壁との相互間に配置された幅Ｗ（図２参照）の全域において厚さが均一になる薄肉片である。この薄肉片５は、一端が支柱３ｂに一体連結し、他端が注出筒２の内周壁に一体連結し、開栓時に力が加わったときに該力をここに集中させて閉塞壁３をスムーズに引きちぎる機能を有するものであって、該閉塞壁３の引きちぎりに際して支柱３ｂの接続部位から注出筒２の接続部位に至るまでの間の任意の部位から該薄肉片５が引き裂かれるが、該薄肉片５が引き裂かれる箇所は、支柱３ｂあるいは注出筒２の接続部位の近傍とするのが好ましい。
【００１７】
通常、プルリングタイプの注出栓は、プルリング３ｃに指を掛けて引き上げることで閉塞壁３が引っ張られ、該閉塞壁３が破断予定線３ａに沿って引きちぎられて注出経路が形成されることになるが、引きちぎりの開始時点では、引き上げにかかる力（抜栓力）が、図４（ａ）（ｂ）に示す如く支柱３ｂの周りで分散されてしまうため閉塞壁３の引きちぎりにおいては比較的大きな力が必要であったが、本発明にしたがう注出栓は、図５（ａ）（ｂ）に示す如く、抜栓力が薄肉片５に集中することとなるため、さほどの力を要せずとも、その直下に位置する部位から閉塞壁３の引きちぎりが開始される。
【００１８】
薄肉片５は、その平面形状を図６、図7に示すように、支柱３ｂに向けて先細り形状とするか、あるいは注出筒２に向けて先細り形状とすることができる。
【００１９】
薄肉片５を図７に示すような形状とする場合には、支柱３ｂとの接続部位が弱化部となり、図６に示すような形状とする場合には、注出筒２との接続部位が弱化部となる。
【００２０】
薄肉片５の上端辺５ａについては、図９に示すように、支柱３ｂに向けて低くするか、図８の如く、注出筒２に向けて低くなる傾斜を設けておくことができる。図８、図９に示したような傾斜を設けておくと、最も低いところに抜栓力が集中し易くなり、その部位が弱化部として機能する。
【００２１】
なお、薄肉片５の上端辺５ａは、図１０に示すように、高さに変化を与える段差を設けておいてもよく、この場合も、傾斜を設けた場合と同様に、高さの低い側が弱化部となってその部位から優先的に薄肉片５が引き裂かれることになる。さらに、薄肉片５の上端辺５ａには、図示はしないが少なくとも１つの切欠部を形成しておくことも可能であり、その切欠部を弱化部として機能させてもよい。
【００２２】
薄肉片５としては、図６に示したものと、図８に示したものの組合せ、あるいは図７に示したものと、図９に示したものの組合せが最も好ましく、図１０に示したものについては、図7に示した平面形状を適用するのがよいが、該薄肉片５の形状は、破断予定線３ａの形状に合わせて適宜変更することが可能であり、図示のものには限定されない。
【００２３】
また、薄肉片５は、少なくとも注出筒部３ｂと注出筒２との間の、支柱根元付近に設けられていればよく、その高さも適宜変更することができる。
【００２４】
閉塞壁３の引きちぎり開始領域となる、支柱３ｂの周縁部分の破断予定線３ａは、他の領域の破断予定線３ａの深さよりも深くしておく（薄肉にしておく。）ことにより、さらにスムーズな引きちぎりが可能となる。
【産業上の利用可能性】
【００２５】
比較的小さな力で開栓し得るプルリングタイプの注出栓が提供できる。
【符号の説明】
【００２６】
１      ベース
１ａ    内筒
１ｂ    外筒
１ｃ    環状溝
２      注出筒
３      閉塞壁
３ａ    破断予定線
３ｂ    支柱
３ｃ    プルリング
４      キャップ
４ａ    周壁
４ｂ    天板
４ｃ    垂下筒体
５      薄肉片
５ａ    上端辺
ｈ      ヒンジ
【図１】
0005484802.tif 000002
【図２】
0005484802.tif 000003
【図３】
0005484802.tif 000004
【図４】
0005484802.tif 000005
【図５】
0005484802.tif 000006
【図６】
0005484802.tif 000007
【図７】
0005484802.tif 000008
【図８】
0005484802.tif 000009
【図９】
0005484802.tif 000010
【図１０】
0005484802.tif 000011